(57)【要約】【課題】切花を簡単に水に挿した状態で梱包でき、使用後の処分も容易な植物の湿式輸送容器を提供する。【解決手段】外箱の底部に挿入して、切花を水に挿した状態で輸送する切花輸送用の保水容器において、段ボール製の枠体１と、プラスチックフィルム製の袋２とから成り、枠体１の周壁をなす枠板３，４，５の上縁にそれぞれ鍔板６，７，８を連設し、隣接する鍔板を連結片９を介して繋ぎ合わせ、連結片９と鍔板６，７，８の境界に斜谷折線１０を、連結片９の中央に中谷折線１１をそれぞれ設け、枠板３，４，５の下縁から底面を閉止する底板１２，１３，１４を延出し、袋２の外面を枠板３，４，５及び鍔板６，７，８の内面に貼り付けておき、連結片９を折り込みつつ、鍔板６，７，８を内側斜め下方へ折り曲げると、その折曲状態が保持されるようにする。【選択図】図１
2006044748.tif 000002
【特許請求の範囲】
【請求項１】
外箱の底部に挿入して、切花を水に挿した状態で輸送する切花輸送用の保水容器において、段ボール製の枠体と、プラスチックフィルム製の袋とから成り、枠体の周壁をなす枠板の上縁にそれぞれ鍔板を連設し、隣接する鍔板を連結片を介して繋ぎ合わせ、連結片と鍔板の境界に斜谷折線を、連結片の中央に中谷折線をそれぞれ設け、枠板の下縁から底面を閉止する底板を延出し、袋の外面を枠板及び鍔板の内面に貼り付けておき、連結片を折り込みつつ、鍔板を内側斜め下方へ折り曲げると、その折曲状態が保持されるようにしたことを特徴とする切花輸送用の保水容器。
【請求項２】
前記枠体の対向する一対の枠板と、これに繋がる鍔板及び底板の中央に縦方向の折畳線を設け、ブランクを折畳線に沿って折り畳んだ状態で、両端の枠板とこれに繋がる鍔板及び底板を継ぎ合わせ、その折畳状態から枠体を組み立てる構成とし、枠体の組立に伴い、扁平な袋が開かれて枠体の内側に沿うようにしたことを特徴とする請求項１に記載の切花輸送用の保水容器。
【発明の詳細な説明】
【技術分野】
【０００１】
この発明は、切花を水に挿して鮮度を保ちつつ、輸送できるようにした切花輸送用の保水容器に関するものである。
【背景技術】
【０００２】
従来、切花輸送用の梱包体として、図５に示すように、段ボール製の外箱５１及び台枠５２から成り、外箱５１の底部に台枠５２を挿入し、この台枠５２で鉢状の容器５３を保持して、容器５３に入れた土に切花５４を植えたままの状態で、切花５４を輸送できるようにしたものが使用されている（下記特許文献１参照）。
【０００３】
【特許文献１】実公平４−３９１３２号公報（第５図）
【発明の開示】
【発明が解決しようとする課題】
【０００４】
ところで、上記のような梱包体の容器５３に水を入れ、切花を水に挿した状態で輸送するには、外箱５１が倒れても水が漏れないように、容器５３として開口部に中心方向への鍔を有するプラスチック成形体を使用する。
【０００５】
しかしながら、このような梱包体では、切花の梱包に際し、台枠５２の組み立てや容器５３のセットに手間がかかり、輸送先での開梱後に不要となった容器５３が嵩高い不燃ごみとして発生するという問題がある。
【０００６】
そこで、この発明は、切花を簡単に水に挿した状態で梱包でき、使用後の処分も容易な植物の湿式輸送容器を提供することを課題とする。
【課題を解決するための手段】
【０００７】
上記課題を解決するため、外箱の底部に挿入して、切花を水に挿した状態で輸送する切花輸送用の保水容器において、段ボール製の枠体と、プラスチックフィルム製の袋とから成り、枠体の周壁をなす枠板の上縁にそれぞれ鍔板を連設し、隣接する鍔板を連結片を介して繋ぎ合わせ、連結片と鍔板の境界に斜谷折線を、連結片の中央に中谷折線をそれぞれ設け、枠板の下縁から底面を閉止する底板を延出し、袋の外面を枠板及び鍔板の内面に貼り付けておき、連結片を折り込みつつ、鍔板を内側斜め下方へ折り曲げると、その折曲状態が保持されるようにしたのである。
【０００８】
また、前記枠体の対向する一対の枠板と、これに繋がる鍔板及び底板の中央に縦方向の折畳線を設け、ブランクを折畳線に沿って折り畳んだ状態で、両端の枠板とこれに繋がる鍔板及び底板を継ぎ合わせ、その折畳状態から枠体を組み立てる構成とし、枠体の組立に伴い、扁平な袋が開かれて枠体の内側に沿うようにしたのである。
【発明の効果】
【０００９】
このような保水容器では、連結片を折り込みつつ、鍔板を内側斜め下方へ折り曲げるだけで、鍔板の折曲状態が保持されるので、袋に入れる水の量を所定量以下にしておくと、輸送中に外箱が倒れても、鍔板にせき止められて袋からの水漏れが防止され、切花の出荷作業に伴う梱包作業が負担になることもない。
【００１０】
そして、使用後には、枠体から袋を分離すると、枠体はリサイクルのための回収に出すことができ、袋は嵩低く丸めた状態で、不燃物として容易に処分することができる。
【発明を実施するための最良の形態】
【００１１】
以下、この発明の実施形態を添付図面に基づいて説明する。図１に示すように、この保水容器は、枡形に組み立てられる段ボール製の枠体１にプラスチックフィルム製の袋２を内装したものである。
【００１２】
枠体１のブランクでは、図２に示すように、中央部に位置する枠板３の両側に枠板４が連設され、枠板４の外側に枠板５が連設されている。枠板３，４は同一のサイズとされ、枠板５の横幅は、枠板３の横幅の半分よりもやや大きくなっている。
【００１３】
枠板３，４，５の上縁にはそれぞれ鍔板６，７，８が連設され、隣接する鍔板６，７，８は、それぞれ連結片９を介して繋ぎ合わされている。連結片９と鍔板６，７，８の境界には斜谷折線１０が、連結片９の中央には中谷折線１１がそれぞれ設けられ、斜谷折線１０は、水平線に対して４５°よりやや大きい角度で傾斜している。鍔板６，７，８の先端部分は連結片９よりも突き出している。
【００１４】
枠板３，４，５の下縁には、それぞれ底板１２，１３，１４が連設され、底板１２には斜め方向の折込線１５が、底板１３にはスリット状の差込穴１６が、底板１４には横方向の折曲線１７及び差込片１８がそれぞれ設けられている。また、一対の枠板４と、これに繋がる鍔板７及び底板１３の中央には、縦方向の折畳線１９が設けられている。
【００１５】
そして、枠板３から両側の枠板４及びこれらに繋がる鍔板６，７と底板１２，１３の折畳線１９に挟まれた部分の内面には、襠がない通常の扁平な袋２の片側外面が接着剤や両面粘着テープなどで貼り付けられている。
【００１６】
このようなブランクは、図３に示すように、折畳線１９に沿って折り畳んだ状態で、両端の枠板５とこれに繋がる鍔板８及び底板１４を継ぎ合わせ、袋２の反対側の外面をブランクの内面に貼り付けた状態で、花卉の生産農家へ配送される。
【００１７】
そして、生産農家で切花を出荷する際には、図４に示すように、枠体１の枠板３，４，５を角筒状の周壁をなすように広げる。これにより、扁平な袋２が開かれて、弛むことなく枠体１の周壁の内側に沿い、袋２の底部両側は三角状を呈する。
【００１８】
次に、底板１２の両側部分を折込線１５に沿って折り込み、底板１２，１３を内側水平方向へ折り曲げ、底板１４を折曲線１７沿いに屈曲させつつ、差込片１８を差込穴１６に差し込んで、枠体１の底面を閉止すると、袋２の底部の三角状部分も内側へ折り曲げられて、枠体１の底面の内側に沿う。
【００１９】
その後、図１に示すように、連結片９を折り込みつつ、鍔板６，７，８を内側斜め下方へ折り曲げると、連結片９の作用により、その折曲状態が保持される。そして、この状態で袋２に水を入れ、切花を水に挿して外箱に収納する。
【００２０】
上記のような保水容器では、連結片９を折り込みつつ、鍔板６，７，８を内側斜め下方へ折り曲げるだけで、鍔板６，７，８の折曲状態が保持されるので、袋２に入れる水の量を所定量以下にしておくと、輸送中に外箱が倒れても、鍔板６，７，８にせき止められて袋２からの水漏れが防止され、切花の出荷作業に伴う梱包作業が負担になることもない。
【００２１】
そして、使用後には、枠体１から袋２を引き剥がして分離すると、枠体１はリサイクルのための回収に出すことができ、袋２は嵩低く丸めた状態で、不燃物として容易に処分することができるので、不燃ごみの減量化を図ることができる。
【図面の簡単な説明】
【００２２】
【図１】この発明の実施形態に係る保水容器の組立状態を示す斜視図
【図２】同上の枠体のブランクを示す図
【図３】同上の折畳状態を示す図
【図４】同上の組立過程を示す斜視図
【図５】従来の切花の梱包体を示す斜視図
【符号の説明】
【００２３】
１  枠体
２  袋
３，４，５  枠板
６，７，８  鍔板
９  連結片
１０  斜谷折線
１１  中谷折線
１２，１３，１４  底板
１５  折込線
１６  差込穴
１７  折曲線
１８  差込片
１９  折畳線
【図１】
2006044748.tif 000003
【図２】
2006044748.tif 000004
【図３】
2006044748.tif 000005
【図４】
2006044748.tif 000006
【図５】
2006044748.tif 000007